(57)【要約】【課題】可動柱の構成をよりシンプルとし、かつ、ロック装置に作用する力を分散することができる可動柱のロック装置を提供する。【解決手段】垂直姿勢と収納姿勢との間で回動可能な可動ガイドレール２の下端部に設けた係止ロッド２３と、可動ガイドレール２の垂直姿勢時に係止ロッド２３が係止する係止溝１１と、係止溝１１に係止された係止ロッド２３に係脱可能な係止爪１３０と、を備え、可動ガイドレール２が収納姿勢から垂直姿勢へ回動する時に、係止ロッド２３は、係止溝１１の開口から係止溝１１に受け入れられて係止溝の側縁間に係止され、係止爪１３０は、係止溝１１の開口を塞ぐように移動して係止ロッド２３に係止し、係止ロッド２３が係止溝１１から抜け出る方向の移動を規制する。【選択図】図６
2010196431.tif 000002
【特許請求の範囲】
【請求項１】
上端部を支点として垂直姿勢と収納姿勢との間で回動可能な可動柱の下端部に設けた係止ロッドと、
垂直姿勢時の可動柱の下端に位置して躯体側に設けられ、前記係止ロッドが係止する係止溝と、
前記係止溝に係止された前記係止ロッドに係脱可能な可動係止爪と、
を備え、
前記係止溝は、開口と、対向状の側縁と、底部と、を備え、
前記可動柱が収納姿勢から垂直姿勢へ回動する時に、前記係止ロッドは、前記開口から係止溝に受け入れられて前記側縁間に係止され、
前記可動係止爪は、前記係止ロッドが前記係止溝に係止された状態で、前記係止溝の開口を塞ぐように移動して前記係止ロッドに係止し、当該係止ロッドが当該係止溝から抜け出る方向の移動を規制する、
可動柱のロック装置。
【請求項２】
垂直姿勢時の前記可動柱の下方に位置して固定柱が設けてあり、
前記可動柱の下端には、当該可動柱の垂直姿勢時に前記固定柱の上端よりも下方に延出する第２の係止ロッドが設けてあり、
前記固定柱には、開口と、対向状の側縁と、底部と、を備えた第２の係止溝が形成されており、
前記係止溝の開口と前記第２の係止溝の開口の向きは一致しており、前記可動柱が収納姿勢から垂直姿勢へ回動する時に、前記第２の係止ロッドは、前記開口から第２の係止溝に受け入れられて前記側縁間に係止される、
請求項１に記載の可動柱のロック装置。
【請求項３】
前記可動柱の下端には、当該可動柱が回動する側とは反対側に位置して当接部が形成されており、
躯体側には、垂直姿勢時の可動柱の下端に位置して、前記可動柱が垂直姿勢まで回動した時に前記当接部が当接する被当接部が設けてあり、
前記当接部と前記被当接部は、当接時に互いに嵌り合うような形状を有している、
請求項１、２いずれかに記載の可動柱のロック装置。
【発明の詳細な説明】
【技術分野】
【０００１】
本発明は、可動柱のロック装置に係り、より詳しくは、ガイド溝を備えた可動柱、すなわち、可動ガイドレールや可動中柱のロック装置に関するものである。
【背景技術】
【０００２】
シャッター装置は、シャッターカーテンが、その幅方向の両端部が建物開口部の幅方向両端部に立設されたガイドレールのガイド溝に案内されながら昇降することで建物開口部を開閉する。
【０００３】
開口部左右に立設されるガイドレールは一般に固定式のものが多いが、ガイドレールを跳ね上げたい場合、すなわちガイドレールを可動式としたい場合がある。例えば、シャッター全開時に開口部の開口幅を拡張したい場合、より具体的な態様例では、左右のガイドレールの外側にクレーンのトロリーが走行する空間が形成されており、クレーン使用時にガイドレールを跳ね上げて開口部を全開状態として使用する場合が挙げられる（特許文献１、特許文献２）。また、大開口部を連装式のシャッター装置で開閉する場合には、シャッターカーテンの端部を案内する可動中柱を設け、シャッター全開時には、可動中柱を跳ね上げて開口部を広く確保するようにしている。
【０００４】
可動柱は、チェーンやワイヤ等の可撓性を備えた長尺部材の巻き取り・送り出しによって上端部を支点として垂直姿勢と収納姿勢との間で回動可能に構成されるが、シャッター全閉時には、垂直姿勢にある可動柱の下端を固定する必要がある。可動柱の下端を固定するためのロック機構としては、係止ロッドを受孔に落とし込むことが知られている。
【０００５】
しかしながら、係止ロッドの落とし込みを用いる手段においては、垂直姿勢にある可動柱の下端の固定時・解除時に係止ロッドを上下動させる必要があるため、係止ロッドを上下動させる機構を可動柱に搭載する必要があった。
【０００６】
また、受孔に係止ロッドを落とし込むだけの場合には、ロック状態において係止ロッド及び受孔に力が集中して作用するため、特に、シャッターカーテンが大開口部を閉鎖するような場合にはこれらに機械的に無理な力が作用し得るものであり、より確実な機構を採用することが望ましい場合もある。
【先行技術文献】
【特許文献】
【０００７】
【特許文献１】実公昭４８−２８７４５号
【特許文献２】特開２００７−３０９０８３号
【発明の開示】
【発明が解決しようとする課題】
【０００８】
本発明は、可動柱に係止ロッドを上下動させる機構を設けることなく、可動柱の構成をよりシンプルとし、かつ、ロック装置に作用する力を分散することができる可動柱のロック装置を提供することを目的とするものである。
【課題を解決するための手段】
【０００９】
かかる課題を達成するために本発明が採用した技術手段は、
上端部を支点として垂直姿勢と収納姿勢との間で回動可能な可動柱の下端部に設けた係止ロッドと、
垂直姿勢時の可動柱の下端に位置して躯体側に設けられ、前記係止ロッドが係止する係止溝と、
前記係止溝に係止された前記係止ロッドに係脱可能な可動係止爪と、
を備え、
前記係止溝は、開口と、対向状の側縁と、底部と、を備え、
前記可動柱が収納姿勢から垂直姿勢へ回動する時に、前記係止ロッドは、前記開口から係止溝に受け入れられて前記側縁間に係止され、
前記可動係止爪は、前記係止ロッドが前記係止溝に係止された状態で、前記係止溝の開口を塞ぐように移動して前記係止ロッドに係止し、当該係止ロッドが当該係止溝から抜け出る方向の移動を規制する、
可動柱のロック装置、である。
後述する実施形態では、前記可動柱は、垂直姿勢と収納姿勢との間で開口幅方向に回動可能となっている。
後述する実施形態では、前記可動係止爪は、回動係止爪であるが、可動係止爪は、往復状に直動して出没する係止爪でもよい。
【００１０】
１つの態様では、垂直姿勢時の前記可動柱の下方に位置して固定柱が設けてあり、
前記可動柱の下端には、当該可動柱の垂直姿勢時に前記固定柱の上端よりも下方に延出する第２の係止ロッドが設けてあり、
前記固定柱には、開口と、対向状の側縁と、底部と、を備えた第２の係止溝が形成されており、
前記係止溝の開口と前記第２の係止溝の開口の向きは一致しており、前記可動柱が収納姿勢から垂直姿勢へ回動する時に、前記第２の係止ロッドは、前記開口から第２の係止溝に受け入れられて前記側縁間に係止される。
１つの態様では、前記可動柱は開口幅方向に回動可能であり、前記２つの係止ロッドは、可動柱に形成されたガイド溝を挟んで反対側に位置するように設けられる。
【００１１】
１つの態様では、前記可動柱の下端には、当該可動柱が回動する側とは反対側に位置して当接部が形成されており、
躯体側には、垂直姿勢時の可動柱の下端に位置して、前記可動柱が垂直姿勢まで回動した時に前記当接部が当接する被当接部が設けてあり、
前記当接部と前記被当接部は、当接時に互いに嵌り合うような形状を有している。
後述する実施形態では、前記互いに嵌り合うような形状は、Ｖ字形状であるが、前記互いに嵌り合うような形状には、円弧状、Ｕ字形状、Ｗ字形状、波状等の形状が採用され得る。
【発明の効果】
【００１２】
本発明では、可動柱が垂直姿勢に回動する時に、係止ロッドが係止溝に係止するように構成したので、係止ロッドを上下動させる機構は不要であり、可動柱側の構成をシンプルにすることができる。また、可動柱が回動して垂直姿勢となる際に、係止ロッドが係止溝に案内されることで、係止ロッドが可動柱下端のガイドとしての機能を果たし、電動で可動柱を回動させる場合にもより確実な操作が可能となる。
【００１３】
前記係止ロッドが、係止溝の側縁間に係止された状態で、さらに、前記可動係止爪が、前記係止溝の開口を塞ぐように移動して前記係止ロッドに係止して、当該係止ロッドが当該係止溝から抜け出る方向の移動を規制する。したがって、前記係止ロッド、前記係止ロッドが係止する前記係止溝、前記係止溝に係止した係止ロッドに係止する前記可動係止爪、これらが協働して、シャッター全閉時に可動柱に作用し得る開口幅方向の力、前後方向の力（風圧等）を分散して負担することができ、従来の係止ロッドの上げ落としに比べて機械的に無理な力が作用することがなく、可及的に故障も少なくなる。
【００１４】
可動柱の下端には、前記固定柱の上端よりも下方に延出する第２の係止ロッドを設け、固定柱に形成した第２の係止溝に係止させるようにしたものでは、例えば、ガイドレールが上側の可動ガイドレールと下側の固定ガイドレールとからなるような場合に良好に対応することができ、高さ位置の異なる２本の係止ロッド（すなわち、係止部の高さ位置が異なる）で前後方向の力あるいは開口幅方向の力（後述する実施形態では、前後方向の力）を分散して負担することができる。また、第２の係止ロッドは、可動柱に設けてあると共に、固定柱に係止させるので、可動柱のガイド溝と固定柱のガイド溝の位置合わせの機能をも有する。
【００１５】
可動柱側の当接部と躯体側の被当接部が、当接時に互いに嵌り合うような形状を有するものでは、可動柱の垂直姿勢時に当接部と被当接部が嵌り合って、可動柱の位置決めとしての機能を有すると共に、前後方向に作用する力あるいは開口幅方向の力（後述する実施形態では、前後方向の力）の一部を負担することができる。
【図面の簡単な説明】
【００１６】
【図１】本発明に係るシャッター装置の概略正面図である。
【図２】本発明に係るシャッター装置の概略側面図である。
【図３】本発明に係るシャッター装置の概略横断面図である。
【図４】本発明に係る可動ガイドレールを示す図である。
【図５】本発明に係る可動ガイドレールの下方部位の横断面図である。
【図６】第１係止ロッドのロック手段を示す図である。
【図７】図６を側方から見た図である。
【図８】第１係止ロッドの受け部の平面図及び側面図である。
【図９】図１の部分拡大図である。
【図１０】第２係止ロッドの係止手段を示す図である。
【図１１】図２の部分拡大図である。
【発明を実施するための形態】
【００１７】
本発明の実施形態について図面に基づいて説明する。本明細書において、開口部の幅方向をＸ方向、開口部の幅方向に直交する方向、すなわち前後方向をＹ方向とし、図面の理解を助けることを目的として、必要に応じて、図中にＸ方向、Ｙ方向を表示する。
【００１８】
図１は、シャッター装置の正面図、図２は、同シャッター装置の側面図である。図示の態様では、シャッター装置が設置される建物開口部は大きな開口幅及び開口高を備えている。開口部の幅方向端部側に位置して、ガイドレール１が立設されている。左右のガイドレール１は、夫々、高さ方向に分割されており、上側の可動ガイドレール２と、下側の固定ガイドレール３と、からなる。
【００１９】
建物開口部の上方には、収納空間が設けてあり、この収納空間には、シャッターカーテン（図２では巻装された状態を示す）４の巻取シャフト５、巻取シャフト５を回転駆動させるシャッター開閉機６、可動ガイドレール２を回動操作するための巻上げ装置７、が設けてある。シャッター開閉機６によって巻取りシャフト５を回転させることで、シャッターカーテン４を巻き取り・送り出して開口部を開閉するようになっている。シャッター装置は、典型的には、重量シャッターであるが、他のシャッター装置（例えばパネルシャッター）によって開口部を開閉するものでもよい。
【００２０】
上述のように左右のガイドレール１は、それぞれ、上側の可動ガイドレール２と、下側の固定ガイドレール３と、からなり、可動ガイドレール２は、垂直姿勢と水平姿勢との間で回動可能となっている。より具体的には、可動ガイドレール２は、開口部閉鎖時には垂直姿勢を、開口部開放時には水平姿勢（図１で２´で示す）を取ることができるように、開口部上方の支持部材２Ａに対して回転可能に吊持されている。
【００２１】
可動ガイドレール２の外側（垂直姿勢にある左右のガイドレール１間の空間を内側とする）には、クレーンが走行する空間が形成されている。具体的には、図３に示すように、可動ガイドレール２の外側にはランウエイRが前後方向Ｙに対して傾斜状に延設されており、ランウエイR上を図示しないクレーンが走行するようになっている。クレーン使用時には、ガイドレール２を跳ね上げて開口部を全開状態として使用し、クレーン不使用時には、ガイドレール２を垂直姿勢とする。建物開口部の幅方向の左右両端部には、垂直姿勢にある可動ガイドレール２の外側に形成されるクレーン走行空間を塞ぐための閉塞板８がそれぞれ回動可能に設けてある。閉塞板８はパワーシリンダ（電動シリンダ）８ａによって遠隔操作によって開閉駆動することができ、図３において、開放姿勢にある閉塞板８を８´で示している。
【００２２】
図１０、図１１に示すように、垂直姿勢にある可動ガイドレール２のガイド溝２０と、固定ガイドレール３のガイド溝３０とは、高さ方向に一致しており、上下のガイド溝２０、３０が一体としてシャッターカーテンの幅方向両端部を上下に案内するようになっている。
【００２３】
図４は可動ガイドレール２を示す図であり、図５は、図４に示す可動ガイドレール２の下方部位の横断面図である。図４に示すように、可動ガイドレール２は、全体として柱状の形状を備えており、側部には可動ガイドレール２の長さ方向に沿って延出するガイド溝２０が形成されている。
【００２４】
図４に示すように、可動ガイドレール２の上端には、軸２１が前後方向Ｙに水平状に延出しており、軸２１は、開口部上方の支持部材２Ａに回転自在に支持されている。すなわち、可動ガイドレール２は、上端の軸２１を回動支点として開口幅方向Ｘに回動可能となっている。
【００２５】
図９、図１１に示すように、可動ガイドレール２の下方部位には、可動ガイドレール２を跳ね上げるためのチェーン９が連結される連結部２２が設けてある。図１に示すように、チェーン９の一方の端部は、収納空間に設けた巻上げ装置７に連結されており、チェーン９は収納空間の天井部に沿って延出すると共に、天井部に近接して設けたスプロケット９ａに巻き掛けされて下方に向かって延出し、他方の端部は可動ガイドレール２の下方の連結部２２に連結されている。図９、図１１において、参照番号２２ａはチェーン９が巻き掛けされるスプロケットである。巻上げ装置７によるチェーン９の巻き取り・送り出しによって、可動ガイドレール２は、上端部の軸２１を支点として垂直姿勢と収納姿勢との間で開口幅方向Ｘに回動可能となっている。
【００２６】
可動ガイドレール２の下端部には、第１係止ロッド２３、第２係止ロッド２４が垂下状に設けてある。図４に示すように、第２係止ロッド２４の下端は、第１係止ロッド２３の下端よりも下方に延出している。図示の態様では、図４、図１０に示すように、第１係止ロッド２３の下端は、可動ガイドレール２の下端２６よりも少し下方に延出すると共に、下側の固定ガイドレール３の上端よりも上方に位置しており、第２係止ロッド２４の下端は、固定ガイドレール３の上端よりも下方に延出している。
【００２７】
図５の横断面図に示すように、可動ガイドレール２の内側（開口幅方向Ｘの一側）の側部にはガイド溝２０が形成されており、ガイド溝２０とは反対側、すなわち、可動ガイドレール２の外側（開口幅方向Ｘの他側）の側部の下方部位には、平面視Ｖ字形状の当接部２５が形成されている。
【００２８】
図５に示すように、第１係止ロッド２３と第２係止ロッド２４は、ガイド溝２０（いわゆるシャッター芯４０）を挟んで互いに反対側に位置している。図示の態様では、第１係止ロッド２３は、可動ガイドレール２の内部から下方に延出しており、第２係止ロッド２４は、可動ガイドレール２の外部から下方に延出している。より具体的には、可動ガイドレール２の前後方向Ｙの一方の面には複数の取付プレート２４ａが高さ方向に間隔を存して水平状に固着されており、第２係止ロッド２４は取付プレート２４ａに固定されている。
【００２９】
建物開口部の幅方向の両端側に位置する躯体において、クレーン走行空間の下端の部分には、第１係止ロッド２３の受け部１０が設けてある。受け部１０は、図８に示すように、開口幅方向Ｘに延びる係止溝１１を有しており、開口幅方向Ｘの一側（可動ガイドレール２が回動する側）が開口で、他側（可動ガイドレール２が回動する側とは反対側）が底部となっている。受け部１０には、さらに、係止溝１１のさらに他側（可動ガイドレール２が回動する側とは反対側）に位置して、平面視Ｖ字形状の被当接部１２が形成されている。可動ガイドレール２が水平姿勢から垂直姿勢へと回動操作されると、第１係止ロッド２３が係止溝１１に開口から受け入れられて、係止溝１１の対向状の側縁間に係止し、可動ガイドレール２のＶ字形状の当接部２５が、Ｖ字形状の被当接部１２に当接して位置決めされる。
【００３０】
受け部１０の直下に位置してロック手段が設けてある。図６に示すように、ロック手段は、回動係止体１３と、回動係止体１３を回動させる駆動手段１４と、からなる。回動係止体１３は、先端に上向きのフック状の係止爪１３０が形成されており、基端側の回動軸１３１を回動支点として上下に回動することで、先端の係止爪１３０が上下に移動するようになっている。駆動手段１４は、１つの態様では、パワーシリンダ（電動シリンダ）である。回動係止体１３は、非ロック時には、下側に回動した姿勢にあり、上側に回動することで係止爪１３０が係止溝１１の開口を塞ぐ位置まで上動して第１係止ロッド２３に係合してロック状態となる。回動係止体１３にはプレート状のガイド１３２が一体形成されており、回動係止体１３の上下方向の回動時に、ガイド１３２が受け部１０のガイドプレート１０Ａ間で案内されるようになっている。
【００３１】
第１係止ロッド２３が係止溝１１に係止した状態で、駆動手段１４によって、回動係止体１３を下側に回動した姿勢から上方に回動させると、先端の係止爪１３０が係止溝１１の開口を塞ぐ位置まで上動して第１係止ロッド２３に開口幅方向Ｘから係止する。係止爪１３０が第１係止ロッド２３に係止溝１１の開口側からから係止することで、第１係止ロッド２３が係止溝１１から抜け出る方向の移動が規制される。
【００３２】
図１０に示すように、可動ガイドレール２の下側に位置する固定ガイドレール３の上端部位には、固定ガイドレール３の前後方向Ｙの一側の側部に位置して第２係止ロッド２４の受け部１５が設けてある。受け部１５は、開口幅方向Ｘに延びる係止溝１６を有しており、開口幅方向Ｘの一側（可動ガイドレール２が回動する側）が開口で、他側（可動ガイドレール２が回動する側とは反対側）が底部となっている。したがって、受け部１０の係止溝１１と受け部１５の係止溝１６の開口方向は同じである。可動ガイドレール２が水平姿勢から垂直姿勢へと回動操作されると、第２係止ロッド２４が係止溝１６に開口から受け入れられて、係止溝１６の対向状の側縁間に係止する。
【００３３】
上述のように構成された可動ガイドレール２において、収納姿勢にある可動ガイドレール２を垂直姿勢とする時には、巻上げ装置７によってチェーン９を送り出すと、チェーン９の送り出しに伴って、可動ガイドレール２が自重によって軸２１を回動支点として下方に回動し始め、可動ガイドレール２は垂直姿勢となるまで回動する。
【００３４】
可動ガイドレール２が垂直姿勢となる時に、第１係止ロッド２３、第２係止ロッド２４は、夫々、係止溝１１、係止溝１６に開口幅方向Ｘから係止する。第１係止ロッド２３、第２係止ロッド２４がそれぞれ係止溝１１、係止溝１６に係止している状態では、第１係止ロッド２３、第２係止ロッド２４は、それぞれ、係止溝１１、係止溝１６の対向状の側縁間に挟まれており、第１係止ロッド２３、第２係止ロッド２４の前後方向Ｙの移動が規制されており、もって、全閉時のシャッターカーテンの面圧に対抗するようになっている。
【００３５】
可動ガイドレール２が垂直姿勢となる時には、可動ガイドレール２に設けた平面視Ｖ字形状の当接部２５が受け部１０に形成した平面視Ｖ字形状の被当接部１２に開口幅方向Ｘから当接して嵌り合うことで、可動ガイドレール２の下端の開口幅方向Ｘおよび前後方向Ｙの位置決めが行なわれる。
【００３６】
可動ガイドレール２に設けた第２係止ロッド２４を、固定ガイドレール３に設けた係止溝１６に係止させることで、例えば、第２係止ロッド２４が係止溝１６の底部に当接した時に垂直姿勢時の可動ガイドレール２のガイド溝２０と固定ガイドレール３のガイド溝３０との芯が一致するように構成することで、上下のガイドレール２、３の位置合わせを行うこともできる。
【００３７】
そして、ロック手段の回動係止体１３を上方に回動させて係止爪１３０を係止溝１１の開口を塞ぐ位置まで上動させて第１係止ロッド２３の下端に係止溝１１の開口側から係止させることで、第１係止ロッド２３の開口幅方向Ｘの移動が規制される。
【００３８】
このようにして、垂直姿勢にある可動ガイドレール２の下端において、開口幅方向Ｘ、前後方向Ｙの異なる２方向の移動が規制される。可動ガイドレール２の前後方向Ｙの移動については、第１係止ロッド２３が係止溝１１の側縁間、第２係止ロッド２４が係止溝１６の側縁間にそれぞれ挟まれることで前後方向Ｙの移動が規制される。また、可動ガイドレール２に設けた平面視Ｖ字形状の当接部２５が受け部１０に形成した平面視Ｖ字形状の被当接部１２に嵌り合うことで、前後方向Ｙの力に対抗する。
【００３９】
開口幅方向Ｘにおいて、第１係止ロッド２３が係止溝１１から抜け出る方向の移動については、回動係止体１３の係止爪１３０が係止溝１１の開口を塞ぐように位置して第１係止ロッド２３に係止溝１１の開口側から係止することで規制される。開口幅方向Ｘにおいて、上記第１係止ロッド２３が係止溝１１から抜け出る方向とは反対方向への移動については、可動ガイドレール２に設けた平面視Ｖ字形状の当接部２５が受け部１０に形成した平面視Ｖ字形状の被当接部１２に当接すること、また、第１係止ロッド２３が係止溝１１の底部に当接することによって、規制される。
【００４０】
したがって、垂直姿勢にある可動ガイドレール２に風圧等によって前後方向Ｙの力が作用した場合には、この力を第１係止ロッド２３と係止溝１１の側縁、第２係止ロッド２４と係止溝１６の側縁が負担する。また、この時、当接状態にある当接部２５と被当接部１２も前後方向Ｙの力を負担するので、第１係止ロッド２３、第２係止ロッド２４、係止溝１１、係止溝１６に作用する力が軽減される。
【００４１】
開口幅方向Ｘにおいて、第１係止ロッド２３が係止溝１１から抜け出る方向の力が作用した場合には、この力は、第１係止ロッド２３と、第１係止ロッド２３に係止溝１１の開口側から当接する回動係止体１３の係止爪１３０が負担する。したがって、シャッター全閉時に可動柱に作用し得る開口幅方向の力、前後方向の力（風圧等）を分散して負担することができ、従来の係止ロッドの上げ落としに比べて機械的に無理な力が作用することがなく、可及的に故障も少なくなる。
【００４２】
垂直姿勢にある可動ガイドレール２を収納したい時には、先ず、回動係止体１３を下方へ移動して係止爪１３０の係合状態を解除すると、可動ガイドレール２下端の開口幅方向Ｘ（係止溝１１から抜け出る方向）の移動が可能となり、巻上げ装置７によってチェーン９を巻き取ると、可動ガイドレール２が軸２１を回動支点として上方に回動し始め、第１係止ロッド２３、第２係止ロッド２４が、夫々、係止溝１１、係止溝１６の開口から抜け出し、可動ガイドレール２は水平姿勢となるまで回動して収納姿勢となる。
【００４３】
上述の可動ガイドレール２の回動操作及びロック装置のロック状態・非ロック状態の切換は、全て電気的に遠隔操作することができる。可動ガイドレール２の回動操作は、巻上げ装置７を電気的に駆動することで行なうことができ、第１係止ロッド２３と係止溝１１との係脱、第２係止ロッド２４と係止溝１６との係脱は、可動ガイドレール２の回動と同時に行なわれ、また、駆動手段１４として、例えば、パワーシリンダを用いることで、回動係止体１３の回動を遠隔で電気的に操作して係止爪１３０の係脱を行なうことができる。
【００４４】
図示の実施形態では、好ましい形態として、可動ガイドレール２が、開口幅方向Ｘに回動するものを示した。しかしながら、可動ガイドレールの回動方向は、開口部に対して左右方向に限定されるものではなく、可動ガイドレールが水平姿勢まで回動して開口部を開放するものであれば、開口部に対して前後方向Ｙに回動するものであってもよい。可動ガイドレール２の回動方向によって、係止溝の開口の方向や回動係止体の配置態様も変更されることは当業者に理解される。また、これまで述べてきた可動ガイドレール２の下端部のロック装置を、可動中柱の下端部のロック装置に適用し得ることも当業者に理解される。
【符号の説明】
【００４５】
１  ガイドレール
２  可動ガイドレール
２３  第１係止ロッド
２４  第２係止ロッド
３  固定ガイドレール
１１  係止溝
１３  回動係止体
１３０  係止爪
１６  係止溝
【図１】
2010196431.tif 000003
【図２】
2010196431.tif 000004
【図３】
2010196431.tif 000005
【図４】
2010196431.tif 000006
【図５】
2010196431.tif 000007
【図６】
2010196431.tif 000008
【図７】
2010196431.tif 000009
【図８】
2010196431.tif 000010
【図９】
2010196431.tif 000011
【図１０】
2010196431.tif 000012
【図１１】
2010196431.tif 000013